(57)【要約】【課題】即時入居可能な折りたたみ式の家屋を提供する。【解決手段】主体１０は、立体骨格１１の複数面のうち少なくとも一つの面が解放されており、他の面が複数の平行パネル１２ａおよび複数の垂直パネル１２ｂにより閉鎖されている。拡張パネル２０は、主体１０の開放可能な面において、立体骨格１１の鉛直方向の下側に装着されている。壁パネル３０は、拡張パネル２０の側辺に装着されている。側板４０は、主体２０の開放可能な面において、立体骨格１１の両端の間に装着されている。屋根パネル５０は、主体１０の開放可能な面において、立体骨格１１の鉛直方向の上側に装着されている。拡張パネル２０、壁パネル３０、側板４０、および、屋根パネル５０を、主体１０の開放可能な面に平行となるよう折畳むことで、室内空間を縮小可能である。拡張パネル２０、壁パネル３０、側板４０、および、屋根パネル５０を、展開することで、室内空間を拡大可能である。【選択図】  図１
0003188740.tif 000002
【実用新案登録請求の範囲】
【請求項１】
立体骨格を有する主体、少なくとも一つの拡張パネル、少なくとも一つの壁パネル、少なくとも二つの側板、および、少なくとも一つの屋根パネルを備え、
前記主体は、前記立体骨格の複数面のうち少なくとも一つの面が解放されており、他の面が複数の平行パネルおよび複数の垂直パネルにより閉鎖されており、
前記拡張パネルは、前記主体の開放可能な面において、前記立体骨格の鉛直方向の下側に装着されており、
前記壁パネルは、前記拡張パネルの側辺に装着されており、
前記側板は、前記主体の開放可能な面において、前記立体骨格の両端の間に装着されており、
前記屋根パネルは、前記主体の開放可能な面において、前記立体骨格の鉛直方向の上側に装着されており、
前記拡張パネル、前記壁パネル、前記側板、および、前記屋根パネルを、前記主体の開放可能な面に平行となるよう折畳むことで、室内空間を縮小可能であり、
前記拡張パネル、前記壁パネル、前記側板、および、前記屋根パネルを、展開することで、室内空間を拡大可能であることを特徴とする折りたたみ式の家屋。
【請求項２】
前記主体の開放可能な面において、前記立体骨格の鉛直方向の下側には、拡張パネルに対応する支持アームが配置されていることを特徴とする請求項１に記載の折りたたみ式の家屋。    
【請求項３】
前記主体の開放可能な面において、前記立体骨格の側辺と、前記支持アームとの間に、伸縮調整パイプが配置されていることを特徴とする請求項２に記載の折りたたみ式の家屋。
【請求項４】
前記主体の開放可能な面において、前記支持アームが前記立体骨格の鉛直方向の下側に収納可能であり、
前記主体の開放可能な面において、伸縮調整パイプが前記立体骨格の側辺に収納可能であることを特徴とする請求項３に記載の折りたたみ式の家屋。
【請求項５】
前記立体骨格は、複数の横棒および複数の縦棒によって直方体の枠状に形成されており、
前記主体は、前記立体骨格の二つの長手方向の面が、開放解放されていることを特徴とする請求項１から請求項４のいずれか一つに記載の折りたたみ式の家屋。
【請求項６】
前記主体の開放可能な面において、前期立体骨格の側辺の前記縦棒と前記屋根パネルとは、油圧ロッドにより連結されていることを特徴とする請求項５に記載の折りたたみ式の家屋。
【請求項７】
前記屋根パネルは、壁パネルの縁部および側板の縁部を覆うことが可能な防水フレームを有することを特徴とする請求項５に記載の折りたたみ式の家屋。
【請求項８】
前記壁パネルは、内蔵式ヒンジにより前記拡張パネルに接続されており、
前記屋根パネルは、前記主体の開放可能な面において、回転軸により前記立体骨格の前記縦棒の先端部に接続されており、
前記拡張パネルは、ウインチおよびワイヤにより展開および収納可能であることを特徴とする請求項５に記載の折りたたみ式の家屋。
【考案の詳細な説明】
【技術分野】
【０００１】
本考案は、折りたたみ式の家屋に関する。
【背景技術】
【０００２】
家を作るには時間が掛かる。しかしながら、家屋は完成した後、移動が難しいだけでなく、住宅事情に求められた迅速性または可動性を満足することができない。一方、従来の家屋に対し、組み立て式家屋を迅速に建てることができるが、可動性がよくないため、移転する際、付属品を分解し、新たな現場に搬送し、組み立て直しなければならないだけでなく、住宅事情に求められた即時性または機動性を満足することができない。
【考案の概要】
【考案が解決しようとする課題】
【０００３】
本考案は、即時入居可能な折りたたみ式の家屋を提供することを主な目的とする。
本考案は、住宅事情に求められた機動性を有する折りたたみ式の家屋を提供することをもう一つの目的とする。
【課題を解決するための手段】
【０００４】
上述の目的を達成するために、本考案による折りたたみ式の家屋は、コンテナのようにサイズが規格化された主体に、拡張パネル、壁パネル、側板、屋根パネル、などの拡充用パネルおよびそれらに関連する付属品を配置し、拡充用パネルを折畳むことで全体の体積を縮小し、拡充用パネルを展開することで全体の体積を拡大する。また、重量を減らし、グリーンエネルギーおよび環境保全の効果を達成することができ、即時性および機動性を有する。
【図面の簡単な説明】
【０００５】
【図１】本考案の一実施形態による折りたたみ式の家屋の構造を示す分解斜視図である。
【図２】本考案の一実施形態による折りたたみ式の家屋の展開された状態を示す斜視図である。
【図３】本考案の一実施形態による折りたたみ式の家屋が折畳まれた状態を示す斜視図である。
【図４】本考案の一実施形態による折りたたみ式の家屋を畳む過程（ステップ１）を示す斜視図である。
【図５】本考案の一実施形態による折りたたみ式の家屋を畳む過程（ステップ２）を示す斜視図である。
【図６】本考案の一実施形態による折りたたみ式の家屋を畳む過程（ステップ３）を示す斜視図である。
【図７】本考案の一実施形態による折りたたみ式の家屋を畳む過程（ステップ４）を示す斜視図である。
【図８】本考案の一実施形態による折りたたみ式の家屋を畳む過程（ステップ５）を示す斜視図である。
【図９】本考案の一実施形態による折りたたみ式の家屋を畳む過程（ステップ６）を示す斜視図である。
【図１０】本考案の一実施形態による折りたたみ式の家屋を畳む過程（ステップ７）を示す斜視図である。
【図１１】図２中の部分Ａを示す拡大図である。
【図１２】図２中の部分Ｂを示す拡大図である。
【図１３】本考案の一実施形態による折りたたみ式家屋の内蔵式ヒンジの構造を示す斜視図である。
【図１４】本考案の一実施形態による折りたたみ式家屋に油圧ロッドが配置された状態を示す斜視図である。
【図１５】本考案の一実施形態による折りたたみ式家屋のウインチおよびワイヤを示す斜視図である。
【図１６】本考案の一実施形態による折りたたみ式家屋の固定方式（一）を示す斜視図である。
【図１７】本考案の一実施形態による折りたたみ式家屋の固定方式（二）を示す斜視図である。
【図１８】本考案の一実施形態による折りたたみ式家屋の機動性を向上する方式を示す斜視図である。
【図１９】本考案の一実施形態による折りたたみ式家屋の浸水を防止する方式を示す斜視図である。
【考案を実施するための形態】
【０００６】
以下、本考案の一実施形態による折りたたみ式の家屋を図面に基づいて説明する。
（一実施形態）
図１から図３に示すように、本考案の一実施形態による折りたたみ式の家屋は、主体１０、少なくとも一つの拡張パネル２０、少なくとも一つの壁パネル３０、少なくとも二つの側板４０、少なくとも一つの屋根パネル５０を備える。主体１０は、複数の横棒１１１ａおよび複数の縦棒１１２から構成された立体骨格１１、複数の水平パネル１２ａおよび複数の垂直パネル１２ｂを有する。立体骨格１１は長方形立方体であるが、これに限らず三角形立方体、四角形立方体または五角形立方体など多角形立方体であってもよい。立体骨格１１は各面が複数の水平パネル１２ａおよび複数の垂直パネル１２ｂによって閉鎖され、各面のうちの少なくとも一つ垂直面が開放できるように維持されるため、主体１０は少なくとも一つの垂直面を開放できる。
【０００７】
本実施形態において、立体骨格１１は長方形立方体である。長方形立方体の長い垂直面は開放できるように維持される。少なくとも一つの垂直パネル１２ｂはドアを有する。拡張パネル２０は主体１０の開放可能な面１５かつ立体骨格１１の下側の横棒１１１ａに装着される。開放可能な面１５は、主体１０の内部空間と接続している解放可能な開口をいう。壁パネル３０は図１３に示した内蔵式ヒンジ３１によって拡張パネル２０の側辺に接続される。側板４０は主体１０の開放可能な面１５かつ立体骨格１１の両端の縦棒１１２の間に配置される。屋根パネル５０は図１１に示した回転軸５１によって主体１０の開放可能な面１５かつ立体骨格１１の縦棒１１２の先端部に配置され、図１２に示すように壁パネル３０および側板４０に対応する防水フレーム５２を有する。拡張パネル２０、壁パネル３０、側板４０および屋根パネル５０を主体１０の開放可能な面１５に収納すれば、主体１０の本来の体積を維持し、搬送の便をはかることができる。拡張パネル２０、壁パネル３０、側板４０および屋根パネル５０を主体１０の開放可能な面１５から展開すれば、主体１０に繋がる室内空間を拡大することができる。
【０００８】
本実施形態は、さらに支持アーム６０および伸縮調整パイプ７０を備える。主体１０の開放可能な面１５かつ立体骨格１１の下側の横棒１１１ａに装着される拡張パネル２０と支持アーム６０とは、図７に示した回転軸６１によって連結される。支持アーム６０は主体１０の開放可能な面１５かつ立体骨格１１の下側の横棒１１１ａに収納することができる。伸縮調整パイプ７０は主体１０の開放可能な面１５かつ立体骨格１１の側辺の縦棒１１２と支持アーム６０との間に連結される。伸縮調整パイプ７０は主体１０の開放可能な面１５かつ立体骨格１１の側辺の縦棒１１２に収納することができる。
【０００９】
本実施形態による折りたたみ式家屋を畳む過程を図４から図１０に基づいて説明する。図４に示すように、屋根パネル５０を吊り上げる。屋根パネル５０は主体１０の開放可能な面１５かつ立体骨格１１の側辺の縦棒１１２との間に連結された油圧ロッド５３。油圧ロッド５３は図１４に示したとおりである。図５に示すように、主体１０の開放可能な面１５に側板４０を収納する際、伸縮調整パイプ７０を予め収納すれば作業の便をはかることができる。図６に示すように、拡張パネル２０に壁パネル３０を畳む。図７に示すように、拡張パネル２０および壁パネル３０を主体１０の開放可能な面１５に収納する。図８に示すように、主体１０の開放可能な面１５かつ立体骨格１１の下側の横棒１１１ａに支持アーム６０を収納する。図９に示すように、主体１０の開放可能な面１５に屋根パネル５０を収納すると、図１０に示すように折り畳んだ状態となる。
【００１０】
図１５に示すように、ウインチ２１およびワイヤ２２によって拡張パネル２０を展開したり、収納したりする。図１６および図１７に示すように、主体１０および屋根パネル５０の所定部位と地面との間に固定ワイヤ８０を連結する。図１８に示すように、移動の便をはかり、機動性を向上させるために、主体１０の底部にタイヤ１３を配置する。図１９に示すように、主体１０の底部および拡張パネル２０の底部にエアマット９０を配置する。エアマット９０は地面に固定されるガイド柱９１を有する。主体１０はガイド柱９１に対応する環状固定スリーブ１４を有する。
【００１１】
上述したとおり、本実施形態は、コンテナのようにサイズが規格化され、コンテナより軽くされた主体１０に拡張パネル２０、壁パネル３０、側板４０、屋根パネル５０などの拡充用パネルおよびそれらに関連する付属品を配置し、かつ拡充用パネルを収納すれば主体１０の本来の体積を維持し、搬送の便をはかり、拡充用パネルを迅速に展開すれば主体１０に繋がる空間を拡大するため、住宅事情に求められた即時性および機動性を満足させることができる。
以上、本考案は、上記実施形態になんら限定されるものではなく、考案の趣旨を逸脱しない範囲において種々の形態で実施可能である。
【符号の説明】
【００１２】
１０：主体、  
１１：立体骨格、    
１１１ａ、１１１ｂ：横棒、  
１１２：縦棒、  
１２ａ：水平パネル、  
１２ｂ：垂直パネル、  
１３：タイヤ、  
１４：環状固定スリーブ、  
２０：拡張パネル、  
２１：ウインチ、  
２２：ワイヤ、  
３０：壁パネル、  
３１：内蔵式ヒンジ、  
４０：側板、  
５０：屋根パネル、  
５１：回転軸、  
５２：防水フレーム、  
５３：油圧ロッド、  
６０：支持アーム、  
６１：回転軸、  
７０：伸縮調整パイプ、  
８０：固定ワイヤ、  
９０：エアマット、  
９１：ガイド柱。
【図１】
0003188740.tif 000003
【図２】
0003188740.tif 000004
【図３】
0003188740.tif 000005
【図４】
0003188740.tif 000006
【図５】
0003188740.tif 000007
【図６】
0003188740.tif 000008
【図７】
0003188740.tif 000009
【図８】
0003188740.tif 000010
【図９】
0003188740.tif 000011
【図１０】
0003188740.tif 000012
【図１１】
0003188740.tif 000013
【図１２】
0003188740.tif 000014
【図１３】
0003188740.tif 000015
【図１４】
0003188740.tif 000016
【図１５】
0003188740.tif 000017
【図１６】
0003188740.tif 000018
【図１７】
0003188740.tif 000019
【図１８】
0003188740.tif 000020
【図１９】
0003188740.tif 000021